(57)【要約】【課題】シール装置のケーシング部材内に収納されたシール部材をケーシング部材の外部から容易に確認することができる直動案内軸受装置を提供する。【解決手段】軸方向に延びる転動体転動面３を有する案内レール１と、該転動体転動面３に対向する転動体転動面７を有し、これらの両転動体転動面３，７間に挿入された多数の転動体Ｂの転動を介して軸方向に沿って相対移動可能に案内レール１に跨架されたスライダ２と、スライダ２の軸方向の端部に設けられたシール装置１５とを備え、該シール装置１５が、案内レール１に摺接してスライダ２の軸方向の端部をシールするシール部材２０と、少なくとも一つのシール部材２０を収納するケーシング部材３０ａとを具備する直動案内軸受装置において、ケーシング部材３０ａに、シール部材２０を外部から視認可能な開口部４０を設ける。【選択図】      図１
2007211823.tif 000002
【特許請求の範囲】
【請求項１】
軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に設けられたシール装置とを備え、
該シール装置が、前記案内レールに摺接して前記スライダの軸方向の端部をシールするシール部材と、少なくとも一つの前記シール部材を収納するケーシング部材とを具備する直動案内軸受装置において、
前記ケーシング部材に、前記シール部材を外部から視認可能な開口部を設けたことを特徴とする直動案内軸受装置。
【請求項２】
前記開口部を開閉自在に閉塞する閉塞部材を備えたことを特徴とする請求項１に記載した直動案内軸受装置。
【請求項３】
軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に設けられたシール装置とを備え、
該シール装置が、前記案内レールに摺接して前記スライダの軸方向の端部をシールするシール部材と、少なくとも一つの前記シール部材を収納するケーシング部材とを具備する直動案内軸受装置において、
前記ケーシング部材の一部又は全体を、前記シール部材を外部から視認可能な透明度を有する材料で形成したことを特徴とする直動案内軸受装置。
【請求項４】
前記シール部材に潤滑剤を含浸させて該潤滑剤を前記案内レールに供給可能としたことを特徴とする請求項１〜３のいずれか一項に記載した直動案内軸受装置。
【発明の詳細な説明】
【技術分野】
【０００１】
本発明は、例えば工作機械や搬送装置等に用いられる直動案内軸受装置に関する。
【背景技術】
【０００２】
従来の直動案内軸受装置としては、例えば図６に示すものが知られている。
この直動案内軸受装置は、軸方向に延びる案内レール１と、該案内レール１上に軸方向に相対移動可能に跨架されたスライダ２とを備える。
案内レール１の両側面にはそれぞれ軸方向に延びる転動体転動面３が形成されており、スライダ２のスライダ本体２Ａには、その両袖部４の内側面に、それぞれ転動体転動面３に対向する転動体転動面７が形成されている。そして、これらの向き合った両転動体転動面３，７の間には転動体の一例としての多数のボールＢが転動自在に装填され、これらのボールＢの転動を介してスライダ２が案内レール１上を軸方向に沿って相対移動できるようになっている。
【０００３】
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
このため、スライダ本体２Ａの袖部４内に軸方向に貫通する転動体通路８を形成すると共に、スライダ本体２Ａの両端にそれぞれ略コ字状のエンドキャップ５を例えばねじ１２等の固定手段を介して固定し、このエンドキャップ５に上記両転動体転動面３，７間と上記転動体通路８とを連通する円弧状に湾曲した方向転換路６を形成することにより、転動体無限循環軌道を形成している。
【０００４】
なお、図６において、符号１１はエンドキャップ５と共にスライダ本体２Ａの端面にねじ１２等を介して固定されたサイドシール、１０はスライダ本体２Ａの端面に形成されたねじ１２のタップ穴、１３は給脂用ニップル、１４は案内レール１の固定用のボルト挿通穴である。
サイドシール１１はエンドキャップ５と同様に略コ字状とされて内周部が案内レール１に摺接するシール面とされており、鋼板等にゴムを焼付接着して形成されている。
【０００５】
ところで、工作機械等のように周辺に切削粉等の異物が発生する機械装置に用いる直動案内軸受装置では、上述したサイドシール１１によるシールだけでは十分でなく、且つ潤滑条件も厳しくなることから、従来においては、図７及び図８に示すように、スライダ２のサイドシール１１とエンドキャップ５との間にシール装置１５を介装したものが提案されている。
【０００６】
シール装置１５は、案内レール１に摺接してスライダ２の軸方向の端部をシールするシール部材２０と、少なくとも１つのシール部材２０を収納するケーシング部材３０とを備えている。
シール部材２０は潤滑油又はグリース等の潤滑剤を含有する例えば合成樹脂等から形成されており、エンドキャップ５と同様に案内レール１の断面形状に対応した略コ字状に形成され、コ字状内周の一部又は全周が案内レール１に摺接して潤滑剤を供給するようになっている。
【０００７】
ケーシング部材３０は、略コ字状とされて前記シール部材２０を収容する空間部を有しており、コ字状の内周は案内レール１に対して多少の間隔が設けられて該案内レール１とは非接触とされている。なお、図７及び図８において、符号１６はケーシング部材３０内に収納されたフェルトシール、１７はサイドシール１１の外面に取り付けられた樹脂シールである。
【発明の開示】
【発明が解決しようとする課題】
【０００８】
ところで、上記従来の直動案内軸受装置においては、シール装置１５のケーシング部材３０内に収納されたシール部材２０をケーシング部材３０の外部から確認することができないため、案内レール１のボルト挿通穴１４からケーシング部材３０内を覗いてシール部材２０を確認している。
しかしながら、案内レール１のボルト挿通穴１４からケーシング部材３０内を覗くには、直動案内軸受装置を逆さ或いは横向きにする必要が有り、案内レール１の長さ長い場合や重量が重い場合等には作業効率が低下するという問題がある。
本発明はこのような不都合を解消するためになされたものであり、シール装置のケーシング部材内に収納されたシール部材をケーシング部材の外部から容易に確認することができる直動案内軸受装置を提供することを目的とする。
【課題を解決するための手段】
【０００９】
上記目的を達成するために、請求項１に係る発明は、軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に設けられたシール装置とを備え、
該シール装置が、前記案内レールに摺接して前記スライダの軸方向の端部をシールするシール部材と、少なくとも一つの前記シール部材を収納するケーシング部材とを具備する直動案内軸受装置において、
前記ケーシング部材に、前記シール部材を外部から視認可能な開口部を設けたことを特徴とする。
請求項２に係る発明は、請求項１において、前記開口部を開閉自在に閉塞する閉塞部材を備えたことを特徴とする。
【００１０】
請求項３に係る発明は、軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に設けられたシール装置とを備え、
該シール装置が、前記案内レールに摺接して前記スライダの軸方向の端部をシールするシール部材と、少なくとも一つの前記シール部材を収納するケーシング部材とを具備する直動案内軸受装置において、
前記ケーシング部材の一部又は全体を、前記シール部材を外部から視認可能な透明度を有する材料で形成したことを特徴とする。
請求項４に係る発明は、請求項１〜３のいずれか一項において、前記シール部材に潤滑剤を含浸させて該潤滑剤を前記案内レールに供給可能としたことを特徴とする。
【発明の効果】
【００１１】
本発明によれば、シール装置のケーシング部材にシール部材を外部から視認可能な開口部を設けることで、ケーシング部材内に収納されたシール部材をケーシング部材の外部から容易に確認することができ、これにより、作業効率の向上を図ることができると共に、シール部材の有無や不具合等を早期に把握することができる。
また、ケーシング部材の開口部を開閉自在に閉塞する閉塞部材を備えることで、開口部から塵埃等が入り込むのを防止することができる。
【００１２】
更に、シール装置のケーシング部材の一部又は全体をシール部材を外部から視認可能な透明度を有する材料で形成することで、ケーシング部材内に収納されたシール部材をケーシング部材の外部から容易に確認することができ、これにより、作業効率の向上を図ることができると共に、シール部材の有無や不具合等を早期に把握することができ、更に、ケーシング部材内に塵埃等が入り込むのを防止することができる。
更に、シール部材に潤滑剤を含浸させて該潤滑剤を案内レールに供給可能とすることで、防塵効果と共に潤滑効果を持つことができ、直動案内軸受装置の寿命延長を図ることができる。
【発明を実施するための最良の形態】
【００１３】
以下、本発明の実施の形態の一例を図を参照して説明する。図１は本発明の第１の実施の形態である直動案内軸受装置に装着されるシール装置のケーシング部材を示す斜視図、図２〜図５は本発明の他の実施の形態である直動案内軸受装置に装着されるシール装置のケーシング部材を示す斜視図である。なお、各実施の形態共に、既に図６〜図８で説明した従来の直動案内軸受装置との相違点についてのみ説明する。
【００１４】
本発明の第１の実施の形態である直動案内軸受装置は、図１に示すように、シール装置１５のケーシング部材３０ａの上面及び側面にスリット（開口部）４０が形成されており、このスリット４０を介してケーシング部材３０ａ内に収納されたシール部材２０をケーシング部材３０ａの外部から容易に確認することができ、これにより、作業効率の向上を図ることができると共に、シール部材２０の有無や不具合等を早期に把握することができる。
【００１５】
図２に示す本発明の第２の実施の形態である直動案内軸受装置は、シール装置１５のケーシング部材３０ｂの上面及び側面に貫通穴（開口部）４１が形成されており、この貫通穴４１を介してケーシング部材３０ｂ内に収納されたシール部材２０をケーシング部材３０ｂの外部から容易に確認することができ、これにより、作業効率の向上を図ることができると共に、シール部材２０の有無や不具合等を早期に把握することができる。
【００１６】
図３に示す本発明の第３の実施の形態である直動案内軸受装置は、シール装置１５のケーシング部材３０ｃの上面及び側面に端部から軸方向に沿って切り欠いた矩形状の切欠き部（開口部）４２が形成されており、切欠き部４２には該切欠き部４２を開閉自在に閉塞するスライド部材（閉塞部材）４３が軸方向にスライド可能に取り付けられている。
そして、スライド部材４３を引くか、或いは取り外して切欠き部４２を露出することにより、該切欠き部４２を介してケーシング部材３０ｃ内に収納されたシール部材２０をケーシング部材３０ｃの外部から容易に確認することができ、これにより、作業効率の向上を図ることができると共に、シール部材２０の有無や不具合等を早期に把握することができる。また、ケーシング部材３０ｃ内のシール部材２０を確認した後は、スライダ部材４３で切欠き部４２を閉塞し、これにより、切欠き部４２からケーシング部材３０ｃ内に塵埃等が入り込むのを防止することができる。
【００１７】
図４に示す本発明の第４の実施の形態である直動案内軸受装置は、シール装置１５のケーシング部材３０ｄの上面及び側面に貫通穴（開口部）４４が形成されており、貫通穴４４には該貫通穴４４を閉塞する蓋部材（閉塞部材）４５が着脱自在に取り付けられている。
そして、蓋部材４５を取り外して貫通穴４４を露出することにより、該貫通穴４４を介してケーシング部材３０ｄ内に収納されたシール部材２０をケーシング部材３０ｄの外部から容易に確認することができ、これにより、作業効率の向上を図ることができると共に、シール部材２０の有無や不具合等を早期に把握することができる。また、ケーシング部材３０ｄ内のシール部材２０を確認した後は、蓋部材４５で貫通穴４４を閉塞し、これにより、貫通穴４４からケーシング部材３０ｄ内に塵埃等が入り込むのを防止することができる。
【００１８】
図５に示す本発明の第５の実施の形態である直動案内軸受装置は、シール装置１５のケーシング部材３０ｅの一部又は全体（この実施の形態では全体）をシール部材２０を外部から視認可能な透明度を有する材料で形成している。これにより、ケーシング部材３０ｅ内に収納されたシール部材２０をケーシング部材３０ｅの外部から容易に確認することができるので、作業効率の向上を図ることができると共に、シール部材２０の有無や不具合等を早期に把握することができ、更には、ケーシング部材３０ｅ内に塵埃等が入り込むのを防止することができる。
【００１９】
なお、本発明は上記各実施の形態に限定されるものではなく、本発明の要旨を逸脱しない範囲において適宜変更可能である。
例えば、上記各実施の形態では、転動体としてボールを用いた直動案内軸受装置を例示したが、転動体としてころを用いた直動案内軸受装置に本発明を適用してもよいのは勿論である。
その他、上記各実施の形態において例示した転動体転動面、案内レール、転動体、スライダ、シール装置、シール部材、ケーシング部材、開口部、閉塞部材等の材質，形状，寸法，形態，数，配置個所等は本発明を達成できるものであれば任意であり、限定されない。
【図面の簡単な説明】
【００２０】
【図１】本発明の第１の実施の形態である直動案内軸受装置に装着されるシール装置のケーシング部材を示す斜視図である。
【図２】本発明の第２の実施の形態である直動案内軸受装置に装着されるシール装置のケーシング部材を示す斜視図である。
【図３】本発明の第３の実施の形態である直動案内軸受装置に装着されるシール装置のケーシング部材を示す分解斜視図である。
【図４】本発明の第４の実施の形態である直動案内軸受装置に装着されるシール装置のケーシング部材を示す分解斜視図である。
【図５】本発明の第５の実施の形態である直動案内軸受装置に装着されるシール装置のケーシング部材を示す斜視図である。
【図６】従来の直動案内軸受装置の一例を説明するための一部を破断した斜視図である。
【図７】従来のシール装置を装着した直動案内軸受装置の一例を説明するための一部を破断した斜視図である。
【図８】図７の側面図である。
【符号の説明】
【００２１】
１  案内レール
２  スライダ
３  転動体転動面
７  転動体転動面
Ｂ  ボール（転動体）
１５  シール装置
２０  シール部材
３０ａ〜３０ｅ  ケーシング部材
４０  スリット（開口部）
４１  貫通穴（開口部）
４２  切欠き部（開口部）
４３  スライド部材（閉塞部材）
４４  貫通穴（開口部）
４５  蓋部材（閉塞部材）
【図１】
2007211823.tif 000003
【図２】
2007211823.tif 000004
【図３】
2007211823.tif 000005
【図４】
2007211823.tif 000006
【図５】
2007211823.tif 000007
【図６】
2007211823.tif 000008
【図７】
2007211823.tif 000009
【図８】
2007211823.tif 000010